(57)【要約】  この発明は、表示パネルと、サーバに格納されている駆動データのうち、前記表示パネルに関係する駆動データをネットワークを介して取得する通信制御部と、前記取得された駆動データと、前記表示パネルおよび駆動データの履歴管理情報とを記憶した記憶部と、前記記憶部に記憶された駆動データに基づいて映像を表示パネルに表示する表示駆動部と、前記通信制御部に前記履歴管理情報を用いて自己の表示パネルの駆動データを取得させ、すでに記憶部に記憶されていた駆動データを、取得した駆動データに更新する駆動制御部とを備えた表示装置である。【特許請求の範囲】
【請求項１】
表示パネルと、サーバに格納されている駆動データのうち、前記表示パネルに関係する駆動データをネットワークを介して取得する通信制御部と、
前記取得された駆動データと、前記表示パネルおよび駆動データの履歴管理情報とを記憶した記憶部と、
前記記憶部に記憶された駆動データに基づいて映像を表示パネルに表示する表示駆動部と、
前記通信制御部に前記履歴管理情報を用いて自己の表示パネルの駆動データを取得させ、すでに記憶部に記憶されていた駆動データを、取得した駆動データに更新する駆動制御部とを備えた表示装置。
【請求項２】
前記駆動データが、プラズマディスプレイパネルの電極に印加する印加電圧の値、
前記印加電圧を電極に加えるタイミングおよび印加パルス幅、
前記プラズマディスプレイパネルの表示単位期間である１つのフィールドを構成する複数個のサブフィールドの順番を規定するデータ、および
前記プラズマディスプレイパネルの表示階調数と、その階調数に対応するサブフィールドとの組合せを規定するデータを含むことを特徴とする請求項１の表示装置。
【請求項３】
前記履歴管理情報が、表示装置を特定する固有識別番号と、現在記憶部に記憶されている駆動データの履歴番号とを含み、
前記通信制御部が、サーバに履歴管理情報を送信した後、サーバから送られてくる駆動データを取得することを特徴とする請求項１の表示装置。
【請求項４】
サーバに対して駆動データの更新要求を指示するための入力部をさらに備え、
入力部によって更新要求が入力された場合に、前記通信制御部が、更新要求をサーバに送信し、その後サーバからの駆動データを受信することを特徴とする請求項１の表示装置。
【請求項５】
前記記憶部が、サーバに対して駆動データの更新要求を送信する時間に関するタイミング情報を記憶し、前記通信制御部が、前記タイミング情報に基づいて更新要求をサーバに送信することを特徴とする請求項１の表示装置。
【請求項６】
ネットワークを介して接続されたサーバと表示装置からなり、前記サーバは、表示装置ごとに駆動データを格納したデータベースを備え、
前記表示装置は、表示パネルと、その表示パネルに関係する駆動データを前記サーバから取得する通信制御部と、駆動データと、表示パネルおよび駆動データの履歴管理情報とを記憶した記憶部と、前記記憶部に記憶された駆動データに基づいて映像を表示パネルに表示する表示駆動部と、すでに記憶された駆動データを、前記通信制御部が取得した駆動データに更新する駆動制御部とを備えたことを特徴とする駆動データ通信システム。
【請求項７】
ネットワークを介して接続された更新制御装置と複数の表示装置とからなり、
前記更新制御装置は、表示装置ごとに駆動データを格納したデータベースと、駆動データを特定のグループに属する表示装置に送信する送信部とを備え、
前記表示装置は、表示パネルと、その表示パネルに関係する駆動データを前記更新制御装置から受信する通信制御部と、駆動データと表示パネルを特定する履歴管理情報とを記憶した記憶部と、前記記憶部に記憶された駆動データに基づいて、映像を表示パネルに表示する表示駆動部と、前記通信制御部が受信した駆動データが、更新許可を与えた更新制御装置から送信されたものであることを確認した後に、すでに記憶部に記憶されていた駆動データを、前記受信した駆動データに更新する駆動制御部とを備えたことを特徴とする駆動データ通信システム。
【発明の詳細な説明】
【技術分野】
【０００１】
この発明は、表示装置と、その表示装置の駆動データの通信システムに関し、特に、通信回線を介して表示制御用データを取得して、表示装置に画像を表示するために必要となる各種の駆動データを更新することが可能な表示装置およびその駆動データの通信システムに関する。
【背景技術】
【０００２】
今日、ＣＲＴ，ＬＣＤおよびＰＤＰなどのさまざまな種類の表示装置が提供されている。
一般に表示装置は、ディスプレイパネルに画像を表示するのに必要な駆動データを予め記憶しておき、画像を表示する際に必要な駆動データを読み出して、その駆動データに基づいて表示駆動回路を制御することにより、画像を画面上に表示させている。
たとえば、ＰＤＰ（プラズマディスプレイパネル）では、各画素ごとに放電を起こさせて表示させるが、アドレス電極や表示電極に種々の電圧を所定のタイミングで印加させる駆動制御を行っている。
このような駆動制御を行うために、電極に印加する電圧値やその印加タイミングに関する制御情報が予めＲＯＭなどの記憶素子に記憶されている。【０００３】
このような制御情報は、表示装置の設計時に決定され、設計された表示特性を満たすような数値情報として予め各製品の出荷時に、ＲＯＭなどの不揮発性メモリに記憶され、通常は変更されることはない。
しかし、出荷後であっても、ディスプレイパネルの表示特性を改善するために、制御情報を変更した方がよい場合もあり、また、変更する必要が生じる場合もある。
このように制御情報を変更する必要が生じた場合は、従来は、担当者が制御情報の書き換え専用装置を持ってディスプレイパネルの設定場所に出向き、書き換え専用装置を各ディスプレイパネルごとに接続して、制御情報を変更する作業を行っていた。【０００４】
出荷前の工場内あるいは倉庫内に多数の表示装置がある場合は、その場所で同じ書き換え作業を繰り返しすればよいが、すでに販売店やユーザに出荷してしまった表示装置に対しては、多数の作業者が全国各地に出向いて作業する必要があり、その変更作業にコストと時間がかかっていた。
また、一般に、画像監視などの分野で遠隔制御するシステムが提供されているが、これらは情報機器の動作を遠隔からコントロールする情報をその情報機器に送信したり、また、情報機器等の現状の状態を監視する目的で構築されたシステムである（たとえば特開２００２−５８０７７号公報参照）。【０００５】
ＰＤＰをはじめとする表示装置では、その表示特性を変更するような制御情報は、通常ユーザがその変更ができるように開放されることはなく、また、大きな問題点がない限り制御情報を変更する必要もないので、表示装置の特性を変更することを目的とする遠隔制御ができるものはなかった。
しかし、表示装置の内部ハードウェアの複雑化に伴い、現場でのメンテナンスは時間がかかり困難になることも予想され、また表示特性の向上を目的とした現場でのメンテナンスの作業効率の改善や、作業コストの低減及び時間短縮が要求される。
【発明の開示】
【０００６】
この発明は、表示パネルと、サーバに格納されている駆動データのうち、前記表示パネルに関係する駆動データをネットワークを介して取得する通信制御部と、前記取得された駆動データと、前記表示パネルおよび駆動データの履歴管理情報とを記憶した記憶部と、前記記憶部に記憶された駆動データに基づいて映像を表示パネルに表示する表示駆動部と、前記通信制御部に前記履歴管理情報を用いて自己の表示パネルの駆動データを取得させ、すでに記憶部に記憶されていた駆動データを、取得した駆動データに更新する駆動制御部とを備えた表示装置を提供するものである。これにより、駆動データの更新処理にかかる時間の短縮と更新処理の容易化と、更新処理のメンテナンス作業にかかるコストの削減を図ることができる。
【０００７】
ここで、前記駆動データは、次のようなデータを含む。
（１）プラズマディスプレイパネルの電極に印加する印加電圧の値、
（２）前記印加電圧を電極に加えるタイミングおよび印加パルス幅、
（３）前記プラズマディスプレイパネルの表示単位期間である１つのフィールドを構成する複数個のサブフィールドの順番を規定するデータ、
（４）前記プラズマディスプレイパネルの表示階調数と、その階調数に対応するサブフィールドとの組合せを規定するデータ。
【０００８】
また、前記履歴管理情報は、表示装置を特定する固有識別番号と、現在記憶部に記憶されている駆動データの履歴番号とを含み、前記通信制御部が、サーバに履歴管理情報を送信した後、サーバから送られてくる駆動データを取得することを特徴とする。この場合、サーバ側では、受信した履歴管理情報を用いて、駆動データの更新の必要性を判断し、関係する駆動データをこの表示装置に送信する。
【０００９】
さらに、サーバに対して駆動データの更新要求を指示するための入力部をさらに備え、入力部によって更新要求が入力された場合に、前記通信制御部が、更新要求をサーバに送信し、その後サーバから送信された駆動データを受信すること受信するようにしてもよい。
【００１０】
また、前記記憶部が、サーバに対して駆動データの更新要求を送信する時間に関するタイミング情報を記憶し、前記通信制御部が、前記タイミング情報に基づいて更新要求をサーバに送信すること送信するようにしてもよい。
【００１１】
また、この発明は、ネットワークを介して接続されたサーバと表示装置からなり、前記サーバは、表示装置ごとに駆動データを格納したデータベースを備え、前記表示装置は、表示パネルと、その表示パネルに関係する駆動データを前記サーバから取得する通信制御部と、駆動データと、表示パネルおよび駆動データの履歴管理情報とを記憶した記憶部と、前記記憶部に記憶された駆動データに基づいて映像を表示パネルに表示する表示駆動部と、すでに記憶された駆動データを、前記通信制御部が取得した駆動データに更新する駆動制御部とを備えたことを特徴とする駆動データ通信システムを提供するものである。
【００１２】
さらに、ネットワークを介して接続された更新制御装置と複数の表示装置とからなり、前記更新制御装置は、表示装置ごとに駆動データを格納したデータベースと、駆動データを特定のグループに属する表示装置に送信する送信部とを備え、前記表示装置は、表示パネルと、その表示パネルに関係する駆動データを前記更新制御装置から受信する通信制御部と、駆動データと表示パネルを特定する履歴管理情報とを記憶した記憶部と、前記記憶部に記憶された駆動データに基づいて、映像を表示パネルに表示する表示駆動部と、前記通信制御部が受信した駆動データが、更新許可を与えた更新制御装置から送信されたものであることを確認した後に、すでに記憶部に記憶されていた駆動データを、前記受信した駆動データに更新する駆動制御部とを備えたことを特徴とする駆動データ通信システムを提供するものである。
【図面の簡単な説明】
【００１３】
【図１】この発明の表示装置および駆動データの更新を行う通信システムの構成ブロック図である。
【図２】この発明の駆動データの更新処理のフローチャートである。
【図３】この発明の更新処理の他の実施例の形態の構成ブロック図である。
【発明を実施するための最良の形態】
【００１４】
以下、図面を使用して本発明の実施の形態を説明する。なお、以下の実施例の記載によって、この発明が限定されるものではない。
図１に、この発明の表示装置と、駆動データの通信システムの一実施例の構成ブロック図を示す。
ここでは、表示装置１の一実施例として、ＰＤＰ装置を示す。
ただし、表示装置としては、ＰＤＰ装置に限定されることはなく、ＣＲＴ装置やＬＣＤ装置にもこの発明を適用することができる。
図１において、表示装置１（以下、ＰＤＰ装置と呼ぶ）は、主として入力部８と、モジュール部２と通信制御部３とから構成される。【００１５】
入力部８は、キーボード、ポインティングデバイスなどあらゆる入力装置を利用することができるが、ＰＤＰ装置に付属のリモコンを用いてもよい。また、このリモコンに駆動データの更新を要求する専用キーを設けてもよい。
通信制御部３は、ネットワーク１０を介してＰＤＰ装置１をサーバ１１に接続させる部分であり、インターネット接続機能やサーバ１１との通信機能を有する。【００１６】
サーバ１１とは、たとえばＰＤＰ装置１のメーカをはじめ、メンテナンス会社、などに設置される情報機器であり、そのデータベース１２に、ＰＤＰ装置に関する情報を保存したものである。データベース１２に保存されるＰＤＰ装置に関する情報とは、後述するような駆動データ、出荷された製品の個有番号、製造番号、その製造年月日などである。【００１７】
ネットワーク１０は、ＩＳＤＮ、電話回線、ＡＤＳＬ、ＨＴＴＰなど種々の通信回線が用いられるが、常時接続が可能な環境で、十分なセキュリティを確保した上で、上記いずれかの通信回線を介してインターネットに接続することが好ましい。
モジュール部２は、主として、駆動制御部４、表示駆動部５、記憶部７および表示パネル６から構成される。
表示パネル６とは、いわゆるプラズマディスプレイパネル（ＰＤＰ）を意味し、マトリクス状に所定の電極を配置し、隔壁で画素を分離した構造を有して、表示駆動部５からの制御信号に基づいて、画素ごとにプラズマ放電をさせることにより発光をさせるパネルを意味する。【００１８】
駆動制御部４は、通信制御部３の動作をコントロールすると共に、通信制御部３によって受信された情報を記憶部７に書き込む処理、記憶部７に記憶された駆動データ等を読み出す処理、読み出した駆動データに基づいて、駆動信号あるいは駆動電圧などを生成する処理、駆動信号などを表示駆動部に出力するタイミングのコントロール処理、電源シャットダウン処理を実行する部分である。【００１９】
表示駆動部５は、駆動制御部４から出力された各種駆動信号に基づいて表示パネル７を作動させるコントロール回路であり、たとえば、リセットパルス生成部、サステインパルス生成部などの機能ブロックから構成される。
記憶部７は、ＰＤＰ装置に関する制御情報を記憶したメモリであり、書き換え可能な不揮発性メモリを用いる。たとえば、ＥＰＲＯＭ、フラッシュメモリ、ハードディスクなどが用いられる。【００２０】
記憶部７に記憶される制御情報としては、たとえば、ＰＤＰ装置の駆動データ７１、履歴管理情報７２、通信制御に必要な通信データ７３などである。
また、駆動データ７１は、出荷前の初期設定時に記憶部７の記憶領域（駆動データ記憶領域）に記憶されるが、後述する更新処理を実行するために設けられた更新バッファ領域Ａ（７４）と、更新バッファ領域Ｂ（７５）にも、一時的に記憶される。【００２１】
後述する実施例では、領域Ａ（７４）は、現在記憶されている駆動データ７１を読み出して一時的に格納しておくために用いられ、駆動データをもとに戻す回復モード処理で用いられる。
領域Ｂ（７５）は、サーバ１１から取得した駆動データをダウンロードしたときに一時的に格納しておくためのバッファ領域である。【００２２】
履歴管理情報７２とは、前回の書込み日付情報（年月日）や、履歴番号（版数，バージョン番号）、ＰＤＰ装置１の固有識別番号、製造機種番号、製造年月日、モジュール版数などを含む情報を意味する。
制御情報は、出荷前に製造段階で予め記憶部７に書き込まれる。そして、設計変更やデータの更新が必要でない場合は、この予め書き込まれた初期データを用いて、ＰＤＰ装置の表示処理が行われる。【００２３】
この発明では、ＰＤＰ装置の表示特性に関係する制御情報を、駆動データと呼ぶ。
駆動データには、主として次のようなデータが含まれる。ただし、以下のものに限定されるものではない。【００２４】
（１）印加電圧を制御するデータ（電圧データ）
印加電圧とは、リセット電圧、サステイン電圧、アドレス電圧などを意味する。
また、印加電圧を制御するデータとは、たとえば、リセット電圧そのものの数値を意味し、直接リセット電圧の数値を記憶してもよい。
または、リセット電圧そのものの数値ではなく、リセット電圧を制御するための駆動回路に関係するパラメータを意味し、そのパラメータの数値を記憶してもよい。
この場合は、読み出されたパラメータの数値を、リセット電圧を制御する駆動回路に与え、その駆動回路がパラメータの数値に基づいたリセット電圧を発生することになる。【００２５】
（２）印加タイミングを規定するデータ（タイミングデータ）
印加タイミングとは、ある基準時間に対して印加電圧を印加する時間差や印加間隔時間を意味する。
たとえば、ある行と次の行のアドレス電圧を印加する時間の間隔を示すデータが印加タイミングとして、記憶部７に記憶される。【００２６】
（３）印加電圧のパルス幅を規定するデータ（パルス幅データ）
印加電圧は通常パルス波形として印加されるので、パルス幅とは、印加されるパルス波形の印加時間に相当する。
たとえば、リセットパルス、サステインパルス、スキャンパルスおよびアドレスパルスなどのパルスの幅（印加時間）を意味する。【００２７】
（４）駆動波形構成データ
駆動波形構成データとは、１フィールドを構成する複数のサブフィールド（ＳＦ）の並び順に関するデータを意味する。たとえば、１フィールドが８個のサブフィールド（ＳＦ）からなる場合、先頭のＳＦをＳＦ８とし、次に、ＳＦ７となるような並び順のデータを意味する。
また、ＳＦを構成する各期間の並び順に関するデータも含まれる。
ここで、ＳＦを構成する期間とは、通常、「リセット期間」と、「アドレス期間」と、「サステイン期間」の３つの期間がある。この期間の並び順に関するデータとは、たとえば、先頭がリセットで、次にアドレス、最後にサステインの期間を配置するというようなデータを意味する。
また、ＳＦを構成する各期間のデータはＳＦ毎に異なっても良いし、ＳＦによってはある期間そのものが存在しないＳＦがあっても良い。【００２８】
（５）表示特性データ
表示特性データとは、表示階調数と、点灯するサブフィールド（ＳＦ）との組合せ（テーブル）に関するデータを意味する。
たとえば、表示階調数を「３０／２５６」とした場合、２進符号で各ＳＦのサステイン数を各ＳＦ１から順に１，２，４，・・・１２８と割り当てた場合、ＳＦの数は８個となり、点灯すべきＳＦはＳＦ２、ＳＦ３、ＳＦ４、ＳＦ５となる（２＋４＋８＋１６＝３０）。【００２９】
以上が、この発明で用いる駆動データの一実施例であるが、この他に表示特性を規定するパラメータを駆動データに含めて記憶部７に記憶するようにしてもよい。
このような駆動データは、出荷前に初期値として記憶部７に予め記憶される。
また、出荷後、ＰＤＰ装置１を実際に使用中の状態において、サーバ１１との通信を行うことにより、サーバ１１から最新の駆動データや必要な駆動データのみを受信して、記憶部７に記憶されていた駆動データの更新を行う。
この更新は、データの上書きをしてもよいが、動作の安定性等を考慮して、もとの状態に戻せるようにするために、一時記憶用のバッファに格納したり、初期値とは別の記憶領域に格納するようにしてもよい。【００３０】
図２に、この発明のＰＤＰ装置の駆動データの更新処理の一実施例のフローチャートを示す。
ここでは、表示装置であるＰＤＰ装置１側からの起動操作により更新処理が開始される場合を示す。
たとえば、ＰＤＰ装置１を自宅に設置した所有者自らが、特定のスイッチ（あるいはリモコンの特定ボタン）の入力を行うことにより更新処理を開始する。
また、ＰＤＰ装置１の処理中に、修理担当者がその特定スイッチの入力操作を行ってもよい。
なお、この更新処理の開始を意味する特定の入力操作は入力部８により行い、入力部８から更新開始を意味する信号が、駆動制御部４に与えられる。【００３１】
ステップＳ１：表示駆動部５の停止
まず、更新開始を意味する信号を受けた駆動制御部４は、モジュール部２の表示駆動部５の動作を停止させる。
これは、次のステップ２以降の処理を実行中のときに、表示駆動部５の誤動作を防止するためである。
ここでは、たとえば、表示駆動部５への電源供給を中断させることにより、その動作を停止させる。【００３２】
ステップＳ２：駆動データの読み出し
駆動制御部４は、記憶部７に現在記憶されている駆動データを読み出し、記憶部７の中の更新バッファ領域Ａ（７４）に格納する。
このとき、現在の履歴管理情報７２も読み出し、バッファ領域Ａに格納する。【００３３】
ステップＳ３：サーバ接続
駆動制御部４は、通信制御部４に対して、サーバ１１に接続することを要求する。
このとき、記憶部７に予め記憶されていたサーバ接続に必要な通信データ７３が読み出され、履歴管理情報７２とともに、通信制御部３に与えられる。
通信制御部３は与えられた情報をもとに、サーバ１１への接続処理を実行する。【００３４】
ステップＳ４：サーバへの更新要求情報の送信
接続を確立した後、通信制御部３は、駆動データの更新要求を意味する情報をサーバ１１に送信する。
更新要求情報には、個々のＰＤＰ装置１を特定するための情報（固有識別番号、製品機種番号など）と、現在の駆動データを特定するための情報（履歴番号など）が含まれる。【００３５】
ステップＳ５：更新要求内容の確認（サーバ側）
更新要求を受信したサーバ１１は、更新要求に含まれる情報を確認して、更新すべき駆動データが存在するか否か判断する。
サーバ１１のデータベース１２には、ＰＤＰ機種別あるいは、モジュール版数別ごとに、駆動データにその履歴番号を付して格納しておく。
たとえば、受信した更新要求に含まれる機種番号に対応する駆動データが、データベース１２に格納されているか否かチェックする。さらに、駆動データが存在する場合に、受信した履歴番号が、格納されている駆動データの履歴番号と同一か、あるいは古いものであるかどうかの照合確認をする。すなわち、更新の必要性を確認する。【００３６】
ステップＳ６：更新の必要の判断（サーバ側）
ステップＳ５の確認結果、たとえばそのＰＤＰ装置１に対応する駆動データが存在しない場合、あるいは、駆動データが存在しても履歴番号が同一の場合は、更新する必要がないと判断し、ステップＳ７（更新終了処理）へ進む。
一方、ＰＤＰ装置に対応する駆動データが存在し、受信した履歴番号が、現在サーバに格納されている最新の履歴番号よりも古い場合には、更新が必要と判断し、ステップＳ８へ進む。【００３７】
ステップＳ７：更新終了処理
ここでは、サーバ１１から通信制御部３に対して、更新する必要のない旨の通知が送信される。
この通知を受けた通信制御部３は駆動制御部４に対して、更新処理を終了すべき情報を送り、更新処理を終了させる。【００３８】
ステップＳ８：駆動データの通信（ダウンロード）
サーバ１１に更新すべき駆動データが存在する場合は、サーバ１１から、通信制御部３へ駆動データを送信する。すなわち、通信制御部３は、駆動データをダウンロードする。
駆動制御部４は、通信制御部３が受信した駆動データを、記憶部７の中の更新バッファ領域Ｂ（７５）に、一時格納する。
ここで、更新バッファ領域Ａ（７４）に直接上書き保存するのではなく、領域Ａとはことなる領域Ｂ（７５）に一時格納するのは、受信した新しい駆動データで動作させた場合に不都合が生じても、更新前のもとの状態に戻せるようにするためである。【００３９】
ステップＳ９：駆動データの書込処理
受信した駆動データをすべて更新バッファ領域Ｂ（７５）に格納した後、その格納した駆動データを、記憶部７の駆動データ記憶領域７１に書き込む。これにより、もし不都合がなければ駆動データは更新されたことになる。【００４０】
ステップＳ１０：書込処理の検証（ベリファイ）
ステップＳ９の書込処理が正常に行われたか否か、検証する。
たとえば、更新バッファ領域Ｂ（７５）のデータのチェックサム値と、駆動データ記憶領域（７１）に書き込まれたデータのチェックサム値とを求め、両チェックサム値が一致するか否か、確認する。【００４１】
ステップＳ１１：検証結果の判断
ステップＳ１０の検証結果、チェックサム値が一致した場合は、駆動データの書込みが正常であったと判断し、ステップＳ１３へ進む。一方、両チェックサム値が異なる場合は、書込みが正常でないと判断し、ステップＳ１２へ進む。【００４２】
ステップＳ１２：中断モード処理
書込みが正常でなかった場合は、中断モード処理を実行する。
たとえば、再度駆動データのダウンロードを試みるために、ステップＳ８からＳ１１までの処理を繰り返す。
また、ダウンロードは省略し、ステップＳ９の書込処理からステップＳ１１までを再度実行してもよい。
さらに、上記一連の処理のどちらかを何度か繰り返し、チェックサム値が一致しない場合は、更新処理が不能と判断し、その旨を図示しない表示部等に出力して、更新処理を終了してもよい。【００４３】
ステップＳ１３：表示駆動部５の起動
ステップＳ１１の検証が正常であった場合、表示制御部５を起動させる。たとえば、中断状態であった表示駆動部５への電源供給を再開し、所定の機能動作を開始させる。
そして、起動が正常に行われ、通常の表示処理が行えるようになったことを、確認する。この正常動作の確認は、たとえばサステイン部の電流値を検出し正常な値であるか判断をすることにより行えばよい。【００４４】
ステップＳ１４：正常動作の判断
表示駆動部５が正常に動作したことが確認された場合は、更新処理を終了する。
このとき、必須の処理ではないが、更新バッファ領域ＡおよびＢに格納したデータは不要なので、消去してもよい。
一方、表示駆動部５の動作が正常でない場合、ステップＳ１５へ進み、回復モード処理を実行する。
ここで、動作が正常ではない場合とは、表示ができない場合、更新前により改善されたはずの特性が改善されていない場合、サステイン部の電流値が異常な値である場合などが該当する。
このような場合、正常でない原因は、駆動データを更新したことによるものと考えられるので、駆動データを更新前のもとに戻す処理（回復モード処理）を実行する。【００４５】
ステップＳ１５：回復モード処理
ここでは、更新バッファ領域Ａ（７４）に、一時退避させていた駆動データを読み出し、駆動データの記憶領域（７１）に上書きする。すなわち、駆動データを更新前のもとのデータに書き戻す。
その後、この更新処理を実行する前のもとの状態と同様に表示処理ができることを確認する。
以上により、更新処理を終了するが、この場合は、更新が失敗したこと、あるいは更新しても予定どおりに動作できなかったことを意味するので、更新が正常にできなかった旨を表示部等に出力することが好ましい。【００４６】
以上が、この発明の更新処理の一実施例であるが、この一連の処理に限定されるものではなく、必要に応じて各ステップの処理の内容を変更してもよく、また他の処理を追加してもよい。
また、更新バッファ領域Ａ，Ｂは、記憶部７の中に別々に設けてもよいが、これらの領域に記憶されるデータは一時的に格納されればよいので、更新バッファ領域Ａ，Ｂとしては、ＲＡＭや専用レジスタなどの揮発性の書き換え可能な記憶素子を用いてもよい。【００４７】
また、更新処理は、ＰＤＰ装置１の所有者などの特定の入力操作によって起動するものとして説明したが、入力操作をせずに、タイマーを備え、自動的に更新処理が実行されるようにしてもよい。この場合、サーバに対して駆動データの更新要求を送信する時間に関するタイミング情報を記憶部に記憶しておく。
また、更新処理を定期的にするために、ＰＤＰ装置１側で、更新処理を行うべき年月日時分などの指定や、実行時間間隔を指定できるようにしてもよい。【００４８】
さらに、ＰＤＰ装置１側からの更新要求をトリガとして更新処理を実行するのではなく、サーバ１１に新しい駆動データが格納された後に、サーバ１１から複数のＰＤＰ１に対してポーリング動作をすることにより、更新処理を実行するようにしてもよい。
また、駆動データの更新は、予め用意された様々な特徴を持つ（例えば高コントラストなど）いくつかの駆動データをユーザが任意に選択、ダウンロードされることでなされても良い。【００４９】
図３に、この発明の更新処理の他の実施例の形態のブロック図を示す。
ここでは、ネットワーク１０を介して、複数のＰＤＰ装置１と、１台の更新制御装置２０とが接続される形態の構成ブロック図を示している。
ＰＤＰ装置１は、図１に示したものと同様の構成を持つものである。更新制御装置２０は、ＰＤＰ装置のメーカや、ＰＤＰ装置のメンテナンス会社に設置される端末であり、ＰＤＰ装置を特定する履歴管理情報やＰＤＰ装置の駆動データを保有しているデータベース２１と、駆動データをＰＤＰ装置１に送信する送信部２２を少なくとも備える。
たとえば、更新制御装置２０は、ハードディスク等の大容量の記憶装置を持つパソコンやワークステーションである。【００５０】
また、更新制御装置２０は、管理するすべてのＰＤＰ装置１にアクセス可能な権限を有し、特定のグループに属するＰＤＰ装置への接続機能、特定のグループに属するＰＤＰ装置への駆動データ更新要求機能などを備える。
ここで、特定のグループに属するＰＤＰ装置とは、同じ駆動データを格納し、その駆動データに基づいて映像の表示を行っている複数のＰＤＰ装置を意味し、たとえば、同じ機種のＰＤＰ装置を意味する。図３では、機種番号０１を持つＰＤＰ装置（ＰＤＰ−０１）のグループと、機種番号０２を持つＰＤＰ装置（ＰＤＰ−０２）のグループを図示している。【００５１】
一例として、この更新制御装置２０にＰＤＰ装置の機種番号（０１）に共有な駆動データが新しく格納されたとする。更新制御装置２０は、履歴管理情報を利用して新しい駆動データに関係する機種０１のＰＤＰ装置（ＰＤＰ−０１）を抽出し、抽出されたＰＤＰ装置（ＰＤＰ−０１）に対して新しい駆動データを配信する。
これにより、ＰＤＰ装置側の利用者が自らの意思で更新操作をすることもなく、ＰＤＰ装置側にメンテナンス作業者が出向して更新作業をすることもなく、更新制御装置２０から一括して関係するＰＤＰ装置すべてについての駆動データの更新処理が実行できる。【００５２】
すなわち、１台の更新制御装置２０ですべてのＰＤＰ装置の更新処理を管理実行できるので、ＰＤＰ装置側での更新作業が不要となり、更新作業にかかる時間および費用（人件費、装置運搬費）を低減でき、不慣れなユーザによる更新処理の操作ミスや誤った更新処理を防止できる。【００５３】
具体的には、各ＰＤＰ装置１に固有の製造番号ごとに唯一のアクセスキーコードを付与して記憶しておき、更新制御装置２０には、管理するすべてのＰＤＰ装置の製造番号とアクセスキーコードを記憶しておく。
更新制御装置２０が、機種０１のＰＤＰ装置（ＰＤＰ−０１）に対して更新処理を行う場合には、まず、接続したＰＤＰ−０１から製造番号を取得して、その製造番号に対応つけられたアクセスキーコードをそのＰＤＰ装置１に送信する。そのアクセスキーコードを受信したＰＤＰ−０１は、自己の記憶部７に予め記憶しておいたアクセスキーコードと、受信したアクセスキーコードが一致した場合に、そのＰＤＰ−０１から更新許可の情報を、更新制御装置２０に送信する。
更新制御装置２０は、更新許可情報を受信した後に、そのＰＤＰ−０１に対して、新しい駆動データを送信する。【００５４】
そして、更新を許可したＰＤＰ−０１は、新しい駆動データを受信した後、図２のステップＳ６以下と同様の処理をすることにより、駆動データの更新をする。
このように、アクセスキーコードを利用した更新処理をすることで、より安全かつ容易に駆動データの一括更新が可能となる。【００５５】
この発明によれば、ＰＤＰ装置を初めとする表示装置の表示特性に関係する駆動データを、ネットワークを介したサーバから取得して更新するようにしているので、駆動データの更新処理をより容易にすることができる。
また、ＰＤＰ装置側において、ＰＤＰ装置に関する技術的知識のない利用者でも簡単な操作で駆動データの更新が可能であり、操作ミスを防止できる。
さらに、ＰＤＰ装置側においてメンテナンス作業者が更新作業をする場合にも、作業の簡略化、時間短縮およびメンテナンスのコストの削減が可能となる。
また、ネットワークを介して各ＰＤＰ装置に接続可能な更新制御装置を設けることにより、多数のＰＤＰ装置の駆動データを一括更新することができ、ＰＤＰ装置の設置場所での更新作業の不要化、更新作業の時間短縮、メンテナンス作業のコスト削減が可能となる。
【図１】
2007023554.tif 000002
【図２】
2007023554.tif 000003
【図３】
2007023554.tif 000004
【国際調査報告】
2007023554.tif 000005
2007023554.tif 000006
2007023554.tif 000007
2007023554.tif 000008